(57)【要約】【課題】ユーザが要求するオプション機能を追加させることが可能な光ディスク装置を提供する。【解決手段】ＤＶＤレコーダから機器情報をサーバーに送信すると、サーバーではレコーダ側で選択可能な機能の情報をレコーダに送信する。選択可能な機能の情報から例えばＭＰ３の再生機能が選択されると、レコーダはＭＰ３の再生機能の情報をサーバーに送信する。サーバーではＭＰ３の再生機能に対する請求金額などをレコーダに送信する。ユーザは請求金額を了承したらレコーダからパスワードを送信させる。サーバーはパスワードが正しいと判定すると、レコーダにＭＰ３の再生機能に関するファームウェアを送信する。レコーダではフラッシュメモリに記憶されている既存のファームウェアをＭＰ３の再生機能に関するファームウェアを追加したファームウェアに書き換える。【選択図】図３
2008210262.tif 000002
【特許請求の範囲】
【請求項１】
サーバーとインターネットを介して接続可能な構成を有し、光ディスクに対して情報の記録／再生、または光ディスクに記録された情報の再生を行う光ディスク装置において、
インターネットを介してサーバーと接続し、ユーザが要求する機能を盛り込んだファームウェアをサーバーから取得する場合、当該装置を識別するための機器情報をサーバーに送信する機器情報送信手段と、
サーバーで受信した前記機器情報に応答してサーバーから送信された当該装置側で選択可能な機能の情報を受信する機能情報受信手段と、
前記選択可能な機能の情報を受信したときに、ディスプレイ装置に前記選択可能な機能の一覧表示を行う選択可能一覧表示処理手段と、
前記一覧表示された選択可能な機能からユーザにより選択された機能の情報をサーバーに送信する選択機能情報送信手段と、
サーバーが受信した前記選択された機能の情報に応答してサーバーから送信された請求金額およびパスワード要求を含む課金情報を受信する課金情報受信手段と、
前記課金情報をディスプレイ装置に表示させる課金情報表示処理手段と、
前記課金情報に含まれる請求金額が了承されてユーザによりパスワードが入力され、そのパスワードをサーバーに送信する送信指示がされたとき、そのパスワードをサーバーに送信するパスワード送信手段と、
サーバーで受信した前記パスワードが正しいと判定された後、サーバーから送信されたファームウェアを受信するファームウェア受信手段と、
前記ファームウェアの受信が完了した後、フラッシュメモリに記憶されている既存のファームウェアを、前記受信したファームウェアを追加したファームウェアに書き換えるファームウェア記憶処理手段と、を有するシステムコントローラを備えたことを特徴とする光ディスク装置。
【請求項２】
サーバーとインターネットを介して接続可能な構成を有し、光ディスクに対して情報の記録／再生を行う光ディスク装置において、
インターネットを介してサーバーと接続し、ユーザが要求する機能を盛り込んだファームウェアをサーバーから取得する場合、当該装置を識別するための機器情報をサーバーに送信する機器情報送信手段と、
サーバーで受信した前記機器情報に応答してサーバーから送信された当該装置側で選択可能な機能の情報を受信する機能情報受信手段と、
前記選択可能な機能からユーザにより選択された機能の情報をサーバーに送信する選択機能情報送信手段と、
サーバーが受信した前記選択された機能の情報に応答してサーバーから送信された請求金額およびパスワード要求を含む課金情報を受信する課金情報受信手段と、
前記課金情報に含まれる請求金額が了承されてユーザによりパスワードが入力され、そのパスワードをサーバーに送信する送信指示がされたとき、そのパスワードをサーバーに送信するパスワード送信手段と、
サーバーで受信した前記パスワードが正しいと判定された後、サーバーから送信されたファームウェアを受信するファームウェア受信手段と、
前記ファームウェアの受信が完了した後、フラッシュメモリに記憶されている既存のファームウェアを、前記受信したファームウェアを追加したファームウェアに書き換えるファームウェア記憶処理手段と、を有するシステムコントローラを備えたことを特徴とする光ディスク装置。
【請求項３】
前記システムコントローラは、前記選択可能な機能の情報を受信したときに、ディスプレイ装置に前記選択可能な機能の一覧表示を行う選択可能一覧表示処理手段を有することを特徴とする請求項２に記載の光ディスク装置。
【請求項４】
前記システムコントローラは、前記課金情報をディスプレイ装置に表示させる課金情報表示処理手段を有することを特徴とする請求項２に記載の光ディスク装置。
【発明の詳細な説明】
【技術分野】
【０００１】
本発明は、サーバーとインターネットを介して接続可能な構成を有し、光ディスクに対して情報の記録／再生、または光ディスクに記録された情報の再生を行う光ディスク装置に関し、特に、オプション機能を追加することが可能な光ディスク装置に関する。
【背景技術】
【０００２】
近年、映画等のような大量の映像音声データなどの情報を記録することができる光ディスクであるＤＶＤ（デジタル・バーサタイル・ディスク）が普及している。ＤＶＤの種類としては、メーカー側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で何回か書き換え可能なＤＶＤ−ＲＷやＤＶＤ＋ＲＷあるいはＤＶＤ−ＲＡＭなどが知られている。これらのＤＶＤに記録された情報は、ＤＶＤプレイヤまたはＤＶＤレコーダで再生可能であり、ＤＶＤ−Ｒ、ＤＶＤ＋Ｒ、ＤＶＤ−ＲＷ、ＤＶＤ＋ＲＷ、およびＤＶＤ−ＲＡＭへの情報の記録は、ＤＶＤレコーダで記録可能である。
【特許文献１】特開２００６−８５３４９号公報
【特許文献２】特開２００４−７８７２８号公報
【特許文献３】再表２００２／０２１２６６号公報
【特許文献４】特開２００３−８４９８５号公報
【発明の開示】
【発明が解決しようとする課題】
【０００３】
ところで、ＤＶＤレコーダやＤＶＤプレイヤなどの光ディスク装置では、様々なユーザに対応できるように、各機種の光ディスク装置の製造台数を少量にし、機種の数を多くして、製造および販売が行われている。つまり、光ディスク装置は、様々なユーザに向けて少量多品種の製造および販売が行われている。
【０００４】
例えば、ＤＶＤ−Ｒの記録／再生機能とＤＶＤ−ＲＷの記録／再生機能とを有するＤＶＤレコーダ、ＤＶＤ＋Ｒの記録／再生機能とＤＶＤ＋ＲＷの記録／再生機能とを有するＤＶＤレコーダ、ＤＶＤ−Ｒの再生機能とＤＶＤ−ＲＷの再生機能とを有するＤＶＤプレイヤ、ＤＶＤ＋Ｒの再生機能とＤＶＤ＋ＲＷの再生機能とを有するＤＶＤプレイヤなどのように、光ディスク装置は、少量多品種の製造および販売が行われている。
【０００５】
しかしながら、ユーザが購入した光ディスク装置に新たな機能を追加したい場合があるが、このような場合に、従来の光ディスク装置では、新たな機能を追加できるような構成を備えていないので、ユーザが要求する機能を有する機種の光ディスク装置を新たに購入しなければならず、ユーザにとっては購入費用の負担が多くなると言う課題があった。また、メーカー側にとっては、様々なユーザに対応できるように、各機種の光ディスク装置の製造台数を少量にし、機種の数を多くして、光ディスク装置の製造を行っているので、製造コストが上がると言う課題が生じる。
【０００６】
なお、特許文献１の従来技術では、例えば、販売店の店員は、ユーザの求めるカメラを販売管理装置に接続し、その販売管理装置から最新のファームウェアをカメラにダウンロードし、カメラにファームウェアをインストールするようにしている。しかし、この従来技術は、ユーザが購入した光ディスク装置に新たな機能を追加したい場合の処理や構成については開示されていないので、上記のような課題を解決できるものではない。
【０００７】
特許文献２の従来技術では、テレビジョン受像機にモジュールのダウンロードサービスを提供しているが、この従来技術も、ユーザが購入した光ディスク装置に新たな機能を追加したい場合の処理や構成については開示されていないので、上記のような課題を解決できるものではない。
【０００８】
特許文献３の従来技術では、インターネット端末からの要求に応じて、アプリケーションを無線携帯端末にダウンロードするものであるが、この従来技術も、ユーザが購入した光ディスク装置に新たな機能を追加したい場合の処理や構成については開示されていないので、上記のような課題を解決できるものではない。
【０００９】
特許文献４の従来技術では、ＳＴＢ利用者は、記載された機器の代金、ダウンロードしたソフトウェアの代金をケーブルオペレータに支払い、機器購入時点で最新のソフトウェアをインストールすることができるようにしたものであるが、この従来技術も、ユーザが購入した光ディスク装置に新たな機能を追加したい場合の処理や構成については開示されていないので、上記のような課題を解決できるものではない。
【００１０】
本発明は、上記のような課題を解決するためになされたもので、オプション機能をユーザによって選択可能で、ユーザが要求するオプション機能を選択し、そのオプション機能を追加させることが可能な光ディスク装置を提供することを目的とする。
【課題を解決するための手段】
【００１１】
上記目的を達成するために、請求項１の発明は、インターネットを介してサーバーと接続し、ユーザが要求する機能を盛り込んだファームウェアをサーバーから取得する場合、当該装置を識別するための機器情報をサーバーに送信する機器情報送信手段と、サーバーで受信した前記機器情報に応答してサーバーから送信された当該装置側で選択可能な機能の情報を受信する機能情報受信手段と、前記選択可能な機能の情報を受信したときに、ディスプレイ装置に前記選択可能な機能の一覧表示を行う選択可能一覧表示処理手段と、前記一覧表示された選択可能な機能からユーザにより選択された機能の情報をサーバーに送信する選択機能情報送信手段と、サーバーが受信した前記選択された機能の情報に応答してサーバーから送信された請求金額およびパスワード要求を含む課金情報を受信する課金情報受信手段と、前記課金情報をディスプレイ装置に表示させる課金情報表示処理手段と、前記課金情報に含まれる請求金額が了承されてユーザによりパスワードが入力され、そのパスワードをサーバーに送信する送信指示がされたとき、そのパスワードをサーバーに送信するパスワード送信手段と、サーバーで受信した前記パスワードが正しいと判定された後、サーバーから送信されたファームウェアを受信するファームウェア受信手段と、前記ファームウェアの受信が完了した後、フラッシュメモリに記憶されている既存のファームウェアを、前記受信したファームウェアを追加したファームウェアに書き換えるファームウェア記憶処理手段とを有するシステムコントローラを備えたことを特徴とする光ディスク装置を提供する。
【００１２】
この構成において、先ず、機器情報送信手段は、当該装置を認識するための機器情報をサーバーに送信する。サーバーでは、機器情報を受信すると、これに応答して光ディスク装置側で選択可能な機能の情報を光ディスク装置に送信する。光ディスク装置では、機能情報受信手段がサーバーから送信された選択可能な機能の情報を受信すると、選択可能一覧表示処理手段は、ディスプレイ装置に前記選択可能な機能の一覧表示を行う。前記選択可能な機能の一覧表示がされるので、ユーザは、選択可能な機能を一目で知ることができ、要求する機能を簡単に選択できる。
【００１３】
請求項２の発明は、サーバーとインターネットを介して接続可能な構成を有し、光ディスクに対して情報の記録／再生を行う光ディスク装置において、インターネットを介してサーバーと接続し、ユーザが要求する機能を盛り込んだファームウェアをサーバーから取得する場合、当該装置を識別するための機器情報をサーバーに送信する機器情報送信手段と、サーバーで受信した前記機器情報に応答してサーバーから送信された当該装置側で選択可能な機能の情報を受信する機能情報受信手段と、前記選択可能な機能からユーザにより選択された機能の情報をサーバーに送信する選択機能情報送信手段と、サーバーが受信した前記選択された機能の情報に応答してサーバーから送信された請求金額およびパスワード要求を含む課金情報を受信する課金情報受信手段と、前記課金情報に含まれる請求金額が了承されてユーザによりパスワードが入力され、そのパスワードをサーバーに送信する送信指示がされたとき、そのパスワードをサーバーに送信するパスワード送信手段と、サーバーで受信した前記パスワードが正しいと判定された後、サーバーから送信されたファームウェアを受信するファームウェア受信手段と、前記ファームウェアの受信が完了した後、フラッシュメモリに記憶されている既存のファームウェアを、前記受信したファームウェアを追加したファームウェアに書き換えるファームウェア記憶処理手段とを有するシステムコントローラを備えたことを特徴とする光ディスク装置を提供する。
【００１４】
この構成において、先ず、機器情報送信手段は、当該装置を認識するための機器情報をサーバーに送信する。サーバーでは、機器情報を受信すると、これに応答して光ディスク装置側で選択可能な機能の情報を光ディスク装置に送信する。
【００１５】
そして、前記選択可能な機能の情報から、例えば、ＭＰ３の再生機能が選択されると、選択機能情報送信手段は、ＭＰ３の再生機能の情報をサーバーに送信する。サーバーでは、光ディスク装置から送信されてきた、求める機能の情報、この場合、ＭＰ３の再生機能の情報を受信すると、ＭＰ３の再生機能をユーザに提供するため、ＭＰ３の再生機能を提供する請求金額を計算し、その請求金額などを送信し、パスワードを要求する。これにより、光ディスク装置における課金情報受信手段は、サーバーから送信された請求金額およびパスワード要求を含む課金情報を受信する。
【００１６】
そして、ユーザは、請求金額を了承したら、光ディスク装置からパスワードを送信させる。即ち、パスワード送信手段は、前記課金情報に含まれる請求金額が了承されてユーザによりパスワードが入力され、そのパスワードをサーバーに送信する送信指示がされたとき、そのパスワードをサーバーに送信する。
【００１７】
サーバーは、光ディスク装置から送信されてきたパスワードを受信すると、そのパスワードが正しいか否かを判定し、そのパスワードが正しいと判定した後、光ディスク装置に、求めるファームウェア、この場合、ＭＰ３の再生機能に関するファームウェアを送信し、送信が完了すれば、サーバーの本処理は終了する。
【００１８】
サーバーからＭＰ３の再生機能に関するファームウェアが送信されると、光ディスク装置においては、ファームウェア受信手段は、サーバーから送信されてきたＭＰ３の再生機能に関するファームウェアを受信し、ファームウェアの受信が完了した後、ファームウェア記憶処理手段は、フラッシュメモリに記憶されている既存のファームウェアを、ＭＰ３の再生機能に関するファームウェアを追加したファームウェアに書き換える。この書き換えが完了すれば、光ディスク装置の本処理は終了する。
【００１９】
この構成によれば、オプション機能をユーザによって選択可能で、ユーザが要求するオプション機能を選択し、そのオプション機能を追加させることが可能になったので、ユーザは、要求する機能を有する機種の光ディスク装置を新たに購入する必要がなく、ユーザにとっては、要求するオプション機能の追加分の料金負担だけで良く、経済的負担が少なくなる。また、メーカー側にとっては、ユーザの要求に応じて、後でオプション機能を追加することができるので、広範囲の購買層をターゲットにできて、シンプルな機能のみが搭載された光ディスク装置を大量に製造でき、多機種の光ディスク装置の製造を行う必要がなくなり、この結果、光ディスク装置のコストダウンを図ることができる。
【００２０】
請求項３の発明では、請求項２の発明において、前記システムコントローラは、前記選択可能な機能の情報を受信したときに、ディスプレイ装置に前記選択可能な機能の一覧表示を行う選択可能一覧表示処理手段を有するので、前記選択可能な機能の情報を受信したときに、ディスプレイ装置に前記選択可能な機能の一覧表示がされ、これにより、ユーザは、選択可能な機能を一目で知ることができ、要求する機能を簡単に選択できる。
【００２１】
請求項４の発明では、請求項２の発明において、前記システムコントローラは、前記課金情報をディスプレイ装置に表示させる課金情報表示処理手段を有するので、請求金額およびパスワード要求を一目で知ることができる。
【発明の効果】
【００２２】
以上のように本発明によれば、オプション機能をユーザによって選択可能で、ユーザが要求するオプション機能を選択し、そのオプション機能を追加させることが可能になったので、ユーザは、要求する機能を有する機種の光ディスク装置を新たに購入する必要がなく、ユーザにとっては、要求するオプション機能の追加分の料金負担だけで良く、経済的負担が少なくなる。また、メーカー側にとっては、ユーザの要求に応じて、後でオプション機能を追加することができるので、広範囲の購買層をターゲットにできて、シンプルな機能のみが搭載された光ディスク装置を大量に製造でき、多機種の光ディスク装置の製造を行う必要がなくなり、この結果、光ディスク装置のコストダウンを図ることができる。
【発明を実施するための最良の形態】
【００２３】
以下、添付図面を参照しつつ、本発明の実施の形態について説明する。図１は本発明の一実施形態に係る光ディスク装置としてのＤＶＤレコーダの構成を示すブロック図である。ここでは、光ディスク装置としてＤＶＤレコーダについて説明するが、ＤＶＤプレイヤにおいてもＭＰ３などのように再生機能に関するファームウェアを追加すれば、ＤＶＤレコーダの場合と同様に、再生に関する機能を追加することができる。
【００２４】
このＤＶＤレコーダＡは、アンテナ１ａを介してテレビ放送信号を受信して所望の放送局のテレビ放送信号を選局するチューナ１、このチューナ１からの映像音声信号を復調する復調部２、外部から入力されてくる映像音声信号を復調する復調部３、復調部２または復調部３で復調された映像音声信号をＭＰＥＧ方式で圧縮処理する圧縮処理部４、前記圧縮処理された映像音声データを光ディスク５ａに書き込んだり光ディスク５ａから映像音声データを読み出したりするディスク駆動部５、およびディスク駆動部５から読み出された映像音声データを元の映像音声データに復元する伸張処理部６を備えている。
【００２５】
また、このＤＶＤレコーダＡは、前記復元した映像音声データのうち映像データ（システムコントローラ１０からのメッセージデータがある場合はメッセージデータを重畳した映像データ）を表示可能な映像信号に変換してテレビ受信機８のディスプレイ装置８１に供給するＯＳＤ（オンスクリーンディスプレイ）部７、伸長処理部６で復元した映像音声データのうち音声データをデジタル信号からアナログ信号に変換してテレビ受信機８のスピーカ８３に接続された音声出力装置８２に音声信号を供給するＤ／Ａ変換部９、圧縮処理部４による圧縮処理時や伸張処理部６による伸張処理時に映像音声データを一時的に格納するＲＡＭ１５、装置全体の動作を制御するシステムコントローラ１０、このシステムコントローラ１０に各種キー操作信号を入力する本体のキー入力部１１、リモコン１３からの赤外線の各種キー操作信号を受光して電気信号の各種キー操作信号に変換しシステムコントローラ１０に入力する受光部１２、システムコントローラ１０の処理に必要なプログラムやデータなどが記録されたフラッシュメモリ１４、およびユーザが希望するファームウェアを提供するサーバーＢと電話回線などのインターネット１６を介して双方向通信を行うためのインターフェイス１５を備えている。
【００２６】
システムコントローラ１０は、ＤＶＤレコーダＡを、インターネット１６を介してサーバーＢと接続し、ユーザが要求する機能を盛り込んだファームウェアをサーバーＢから取得する場合、当該ＤＶＤレコーダＡを識別するための機器情報をサーバーＢに送信する機器情報送信手段と、サーバーＢで受信した前記機器情報に応答してサーバーＢから送信された当該ＤＶＤレコーダＡ側で選択可能な機能の情報を受信する機能情報受信手段と、前記選択可能な機能の情報を受信したときに、ディスプレイ装置８１に前記選択可能な機能の一覧表示を行う選択可能一覧表示処理手段と、前記一覧表示された選択可能な機能からユーザにより選択された機能の情報をサーバーＢに送信する選択機能情報送信手段と、サーバーＢが受信した前記選択された機能の情報に応答してサーバーＢから送信された請求金額およびパスワード要求を含む課金情報を受信する課金情報受信手段と、前記課金情報をディスプレイ装置８１に表示させる課金情報表示処理手段と、前記課金情報に含まれる請求金額が了承されてユーザによりパスワードが入力され、そのパスワードをサーバーＢに送信する送信指示がされたとき、そのパスワードをサーバーＢに送信するパスワード送信手段と、サーバーＢで受信した前記パスワードが正しいと判定された後、サーバーＢから送信されたファームウェアを受信するファームウェア受信手段と、前記ファームウェアの受信が完了した後、フラッシュメモリ１４に記憶されている既存のファームウェアを、前記受信したファームウェアを追加したファームウェアに書き換えるファームウェア記憶処理手段とを有する。
【００２７】
図２は本実施形態においてＤＶＤレコーダがインターネットを介してサーバーに接続されている様子を示す構成図である。図２に示すように、ＤＶＤレコーダＡが電話回線などのインターネット１６を介してメーカーのサーバーＢに接続されている。ユーザは、メーカーに対して追加したい機能のファームウェアの購入の要求を行い（ステップ１）、これに応答して、メーカーは、サーバーＢを用いて、その機能のファームウェア（ＦＷ）の配信をユーザのＤＶＤレコーダＡに対して行う（ステップ２）。ＤＶＤレコーダＡでは、フラッシュメモリ１４に記憶されているファームウェアを、その機能が含まれるファームウェアに書き換えて更新する（ステップ３）。この後、ユーザは、追加したい機能に関するファームウェアを購入した費用の請求金額に対する代金の支払いをメーカーに対して行う（ステップ４）。
【００２８】
図３は本実施形態においてユーザが要求する機能を盛り込んだファームウェアをＤＶＤレコーダがサーバーから取得する場合のＤＶＤレコーダとサーバー間で送受信される情報の流れを説明するためのフローチャートである。図４は本実施形態においてユーザが要求する機能を盛り込んだファームウェアをＤＶＤレコーダがサーバーから取得する場合の処理を説明するためのフローチャートである。図５は本実施形態においてユーザが要求する機能を盛り込んだファームウェアをＤＶＤレコーダがサーバーに要求した場合のサーバーの処理を説明するためのフローチャートである。
【００２９】
以下、図１〜図５を参照してユーザが要求する機能を盛り込んだファームウェアをＤＶＤレコーダがサーバーから取得する場合の処理について説明する。ここでは、ユーザが要求する機能としてＭＰ３の再生機能を例に挙げて説明するが、ユーザが要求する機能としては、ＭＰ３の再生機能に限らず、ＤＶＤ＋Ｒの記録機能（録画機能）やＷｉｎｄｏｗｓ（登録商標）  Ｍｅｄｉａの再生機能などのように、ライセンス料が発生する機能を中心に、様々な機能がある。したがって、サーバーＢには、ＭＰ３の再生機能、ＤＶＤ＋Ｒの記録機能やＷｉｎｄｏｗｓ（登録商標）  Ｍｅｄｉａの再生機能などのように、ライセンス料が発生する機能を中心に、様々な機能のファームウェアが記憶されている。
【００３０】
さて、ユーザは、シンプルな機能のみが搭載されたＤＶＤレコーダＡを購入したとする。このＤＶＤレコーダＡには、例えば、ＭＰ３の再生機能が搭載されていないと仮定する。そこで、ユーザは、ＤＶＤレコーダＡにＭＰ３の再生機能を加えたいため、ユーザが要求するＭＰ３の再生機能を盛り込んだファームウェアをＤＶＤレコーダＡがサーバーＢから取得するための操作を行う。
【００３１】
先ず、ユーザは、リモコン１３を操作して、機器情報送信指示の赤外線信号を送信すると、その赤外線信号は、受光部１２で受信され、電気信号の機器情報送信指示信号に変換され、その機器情報送信指示信号がシステムコントローラ１０に入力される。これにより、システムコントローラ１０の機器情報送信手段は、機器情報送信要求指示があったことを検知し（ステップＳ１）、当該ＤＶＤレコーダＡを認識するための機器情報（製造番号、機種形式、製造年月日、搭載されている機能の種類、製造対象国名、販売先国名など）を、フラッシュメモリ１４から読み出し、インターフェイス１５およびインターネット１６を介してサーバーＢに送信する（ステップＳ２、ステップＴ１）。
【００３２】
サーバーＢでは、ＤＶＤレコーダＡの機器情報を受信すると（ステップＮ１）、これに応答してＤＶＤレコーダＡ側で選択可能な機能の情報をＤＶＤレコーダＡに送信する（ステップＮ２、ステップＴ２）。ＤＶＤレコーダＡでは、システムコントローラ１０の機能情報受信手段がサーバーＢから送信された選択可能な機能の情報を受信すると（ステップＳ３）、システムコントローラ１０の選択可能一覧表示処理手段は、前記選択可能な機能の情報のデータをＯＳＤ部７でＯＳＤ処理し、テレビ受信機８１のディスプレイ装置８１に前記選択可能な機能の一覧表示を行う（ステップＳ４）。
【００３３】
そして、ユーザは、リモコン１３を操作して前記選択可能な機能の一覧表示から求める機能、この場合、ＭＰ３の再生機能を選択する（ステップＴ３）。これにより、システムコントローラ１０の選択機能情報送信手段は、前記一覧表示された選択可能な機能からＭＰ３の再生機能が選択されたことを検知し（ステップＳ５）、ＭＰ３の再生機能の情報をサーバーＢに送信する（ステップＳ６）。
【００３４】
サーバーＢでは、ＤＶＤレコーダＡから送信されてきた、求める機能の情報、この場合、ＭＰ３の再生機能の情報を受信すると（ステップＮ３）、ＭＰ３の再生機能をユーザに提供するため、ＭＰ３を提供する請求金額を計算し（ステップＮ４）、その請求金額などを送信し、パスワードを要求する（ステップＮ５、ステップＴ４）。これにより、ＤＶＤレコーダＡにおけるシステムコントローラ１０の課金情報受信手段は、サーバーＢから送信された請求金額およびパスワード要求を含む課金情報を受信すると（ステップＳ７）、システムコントローラ１０の課金情報表示処理手段は、課金情報のデータをＯＳＤ部７でＯＳＤ処理し、請求金額およびパスワード要求を含む課金情報をディスプレイ装置８１に表示させる（ステップＳ８）。
【００３５】
そして、ユーザは、ディスプレイ装置８１に表示された請求金額を見て、この請求金額を了承したら、リモコン１３の操作により、パスワードをＤＶＤレコーダＡに入力し、ＤＶＤレコーダＡからパスワードを送信させる（ステップＴ５）。即ち、システムコントローラ１０のパスワード送信手段は、前記課金情報に含まれる請求金額が了承されて、リモコン１３の操作により、パスワードが入力され（ステップＳ９）、リモコン１３の操作により、そのパスワードをサーバーＢに送信する送信指示がされたとき（ステップＳ１０）、そのパスワードをサーバーＢに送信する（ステップＳ１１）。
【００３６】
サーバーＢは、ＤＶＤレコーダＡから送信されてきたパスワードを受信すると（ステップＮ６）、そのパスワードが正しいか否かを判定し（ステップＮ７）、そのパスワードが正しいと判定した後、ＤＶＤレコーダＡに、求めるファームウェア、この場合、ＭＰ３の再生機能に関するファームウェアを送信し（ステップＮ８、ステップＴ６）、送信が完了すれば（ステップＮ９、ステップＴ８）、サーバーＢの本処理は終了する。
【００３７】
サーバーＢからＭＰ３の再生機能に関するファームウェアが送信されると、ＤＶＤレコーダＡにおいては、システムコントローラ１０のファームウェア受信手段は、サーバーＢから送信されてきたＭＰ３の再生機能に関するファームウェアを受信し（ステップＳ１２、ステップＴ７）、ファームウェアの受信が完了した後（ステップＳ１３、ステップＴ９）、システムコントローラ１０のファームウェア記憶処理手段は、フラッシュメモリ１４に記憶されている既存のファームウェアを、ＭＰ３の再生機能に関するファームウェアを追加したファームウェアに書き換えを開始し（ステップＳ１４、ステップＴ９）、この書き換えが完了すれば（ステップＳ１５、ステップＴ１０）、ＤＶＤレコーダＡの本処理は終了する。この後、後日、予め指定した支払い方法で請求金額に対する代金が、ユーザからメーカー側に支払われる。
【００３８】
以上説明したように本実施形態によれば、オプション機能をユーザによって選択可能で、ユーザが要求するオプション機能を選択し、そのオプション機能を追加させることが可能になったので、ユーザは、要求する機能を有する機種の光ディスク装置を新たに購入する必要がなく、ユーザにとっては、要求するオプション機能の追加分の料金負担だけで良く、経済的負担が少なくなる。また、メーカー側にとっては、ユーザの要求に応じて、後でオプション機能を追加することができるので、広範囲の購買層をターゲットにできて、シンプルな機能のみが搭載された光ディスク装置を大量に製造でき、多機種の光ディスク装置の製造を行う必要がなくなり、この結果、光ディスク装置のコストダウンを図ることができる。
【産業上の利用可能性】
【００３９】
本発明は、ＤＶＤレコーダやＤＶＤプレイヤにオプション機能を追加させるのに利用可能であり、シンプルな機能のみが搭載されたＤＶＤレコーダやＤＶＤプレイヤを大量に製造でき、多機種のＤＶＤレコーダやＤＶＤプレイヤの製造を行う必要がなくなり、この結果、ＤＶＤレコーダやＤＶＤプレイヤのコストダウンを図ることができる。
【図面の簡単な説明】
【００４０】
【図１】本発明の一実施形態に係る光ディスク装置としてのＤＶＤレコーダの構成を示すブロック図である。
【図２】前記実施形態においてＤＶＤレコーダがインターネットを介してサーバーに接続されている様子を示す構成図である。
【図３】前記実施形態においてユーザが要求する機能を盛り込んだファームウェアをＤＶＤレコーダがサーバーから取得する場合のＤＶＤレコーダとサーバー間で送受信される情報の流れを説明するためのフローチャートである。
【図４】前記実施形態においてユーザが要求する機能を盛り込んだファームウェアをＤＶＤレコーダがサーバーから取得する場合の処理を説明するためのフローチャートである。
【図５】前記実施形態においてユーザが要求する機能を盛り込んだファームウェアをＤＶＤレコーダがサーバーに要求した場合のサーバーの処理を説明するためのフローチャートである。
【符号の説明】
【００４１】
Ａ    ＤＶＤレコーダ
Ｂ    サーバー
５ａ    光ディスク
１０    システムコントローラ
１４    フラッシュメモリ
１６    インターネット
【図１】
2008210262.tif 000003
【図２】
2008210262.tif 000004
【図３】
2008210262.tif 000005
【図４】
2008210262.tif 000006
【図５】
2008210262.tif 000007